(57)【特許請求の範囲】
【請求項１】
内視鏡可撓管の先端部に形成されたノズル差込孔にノズルを取付けるための構造であって、前記ノズルに形成されて前記先端部の外周面と前面に露出する突起と、
前記先端部に嵌合されて前記外周面を覆う環状本体と、
前記環状本体の縁部に連設されて前記前面側に張出す係合部を有する環状部材とを備え、
前記環状本体は後端側が肉薄である肉薄部を有し、前記肉薄部は前記先端部に対して接着され、
前記ノズルの後端部の外周面は、軸方向における前記肉薄部に対応する位置の前記ノズル差込孔の内周面に対して接着され、
前記突起が前記環状部材に干渉することにより前記ノズルが前記先端部から前面側に変位することを阻止する内視鏡の可撓管先端部の構造。
【請求項２】
前記ノズルは、先端部の前端面から突出する略直方体形状のノズル頭部を有することを特徴とする請求項１に記載の内視鏡の可撓管先端部の構造。
【請求項３】
前記先端部には、前記突起より径方向に突出するとともに前記先端部に連設されたフランジ部が設けられ、
前記突起の後端面が前記フランジ部に接着することで、前記ノズルが前記ノズル差込孔の軸心に垂直な方向に固定されることを特徴とする請求項１に記載の内視鏡の可撓管先端部の構造。
【発明の詳細な説明】
【技術分野】
【０００１】
本発明は、内視鏡の可撓管先端部の構造に関する。
【背景技術】
【０００２】
従来、内視鏡の可撓管先端部において、レンズ等を洗浄するために設けられたノズルを側面からビス止めし、そのビス穴を接着剤で充填する構造が知られている（特許文献１）。
【先行技術文献】
【特許文献】
【０００３】
【特許文献１】特開平１１−１９７０９５号公報
【発明の概要】
【発明が解決しようとする課題】
【０００４】
しかし、接着剤は可撓管先端部において露出しているため、薬品にさらされることにより劣化して脱落が発生し、体内を傷つける恐れがある。さらに、接着剤が脱落することにより、ノズルが脱落する恐れもある。
【０００５】
そこで本発明は、これらの問題に鑑みてなされたものであり、内視鏡の可撓管先端部の接着剤およびノズルの脱落を防止する構造を提供することを目的としている。
【課題を解決するための手段】
【０００６】
本発明に係る内視鏡の可撓管先端部の構造は、内視鏡可撓管の先端部にノズルを取付けるための構造であって、ノズルに形成されて先端部の外周面と前面に露出する突起と、先端部に嵌合されて外周面を覆う環状本体と、環状本体の縁部に連設されて前面側に張出す係合部とを有する環状部材とを備え、突起が環状部材に干渉することによりノズルが先端部から前面側に変位することを阻止することを特徴とする。
【０００７】
また、ノズルは、先端部の前端面から突出する略直方体形状のノズル頭部を有することが好ましい。
【発明の効果】
【０００８】
本発明によれば、内視鏡の可撓管先端部の接着剤およびノズルの脱落を防止する構造を提供することが出来る。
【図面の簡単な説明】
【０００９】
【図１】本発明の実施形態を適用した内視鏡の全体を表す概略図である。
【図２】図１の可撓管先端部の拡大図である。
【図３】図２のIII‐III線における断面図である。
【発明を実施するための形態】
【００１０】
以下、本発明の一実施形態について図面を参照して説明する。図１を参照すると、内視鏡１０は、体内に挿入される挿入部１１と、内視鏡１０を操作するために使用者によって把持される操作部１５と、内視鏡１０をプロセッサ（図示せず）に接続するためのコネクタ部１６を備える。挿入部１１は、可撓性を有する可撓部１２と、可撓部１２の先端に接続される湾曲部１３と、湾曲部１３の先端に接続された先端部１４とを備える。操作部１５は、ユニバーサルケーブル１７を介してコネクタ１６に接続される。
【００１１】
先端部１４において撮影された体内の光学像は、先端部１４に設けられた撮像ユニット（図示せず）によって電気信号に変換される。電気信号は、ユニバーサルケーブル１７及びコネクタ１６を介し、プロセッサにおいて画像処理され、画像はオペレータにより観察される。
【００１２】
図２を参照し、先端部１４の外観の構造を説明する。先端部１４の最先端の最先端部１８の外周面には環状部材３２が設けられる。図２は環状部材３２が取り外された状態である。先端部１４は、被観察部へ光を照射する配光レンズ３４と、被観察部を観察する対物レンズ３６とを有する。オペレータは、モニタ（図示せず）に映し出された被観察部を観ながら、チャンネル孔４０から出没する処置具（図示せず）を用いて被観察部の処置を行う。対物レンズ３６の汚れは、配設されるノズル３８から射出された水によって洗浄される。
【００１３】
以下に詳述するように、ノズル３８は、最先端部１８の外周面に形成された溝である狭小部Ｓに係合された直方体の突起４６によって、所定の位置に固定される。狭小部Ｓの周方向の幅は、突起４６の周方向の寸法と等しい。狭小部Ｓの軸方向の幅は、突起４６の軸方向の寸法と等しい。また、狭小部Ｓの径方向の幅は、突起４６の径方向の寸法と等しい。すなわち、突起４６の先端面は最先端部１８の前面と面一であり、かつ、前面に露出している。突起４６は最先端部１８の外周面よりも内側に収められ、かつ、外周面に露出している。狭小部Ｓの後端には、突起４６より径方向に突出し、最先端部１８に連設されたフランジ部６４が設けられる。フランジ部６４の軸方向に隣接して、緊縛糸４８が巻き回される。先端部１４の外周面の外皮４９は、外側から緊縛糸４８に巻き回され、接着剤５０（図３参照）によって固定される。
【００１４】
環状部材３２は、緊縛糸４８及び狭小部Ｓを覆うように、最先端部１８の外周面に嵌合される。環状部材３２は環状本体３１とその縁部に連設されて先端方向前面に張出す係合部３３とを有する。係合部３３の内径は環状本体３１の径よりも小さい。
【００１５】
図３を参照し、ノズル３８周辺の構造を説明する。図３は、環状部材３２が取り付けられた状態である。先端部１４には、空気が通る送風管５２と、水が通る送水管５４とが近接配置される。送風管５２と送水管５４とは先端にそれぞれ射出口を有する。これらの射出口は接続部５８を介してノズル差込孔５６に連通する。ノズル差込孔５６は、最先端部１８の先端から送風管５２と送水管５４の先端まで延びる筒状の空間である。
【００１６】
ノズル３８は、ノズル頭部６０と筒状の接続基部６２とを有する。ノズル頭部６０は最先端部１８の前端面から突出している。ノズル頭部６０は略直方体形状である。ノズル頭部６０の端面Ｅ（図２参照）の面積はノズル差込孔５６の開口よりもやや大きい。つまり、最先端部１８を軸方向から見ると、ノズル差込孔５６の開口はノズル頭部６０によって塞がれる。
【００１７】
ノズル頭部６０の内部には、ノズル頭部６０の外形に沿うように噴出口６１が設けられる。噴出口６１は、その先端が対物レンズ３６（図２参照）に向くように形成される。ノズル３８には最先端部１８の外方に突出する直方体の突起４６が形成される。突起４６の周方向の幅は、ノズル頭部６０の周方向の長さと等しい。また、接続基部６２は、円筒の一部を軸方向に沿って切除して形成され、送風管５２と送水管５４から供給される水や空気がノズル頭部６０に導かれるように構成されている。
【００１８】
接続基部６２の後端部６５は、ノズル差込孔５６に挿入され、ノズル差込孔５６の内壁面に接着される。さらに、突起４６の後端面は、フランジ部６４に接着することで、接続基部６２はノズル差込孔５６の軸心に垂直な方向に固定される。最先端部１８から外皮４９の外周面に渡って、金属製の環状部材３２が嵌合される。突起４６の前端面は、環状部材３２の係合部３３に係合して軸方向に固定される。すなわち、突起４６が環状部材３２に干渉することにより、ノズル３８は、最先端部１８から前面側に変位することが阻止される。このように、ノズル３８は軸方向およびその垂直方向において固定される。
【００１９】
環状部材３２は、接着剤５０によって固定される。環状部材３２に覆われることにより、最先端部１８の表面と先端部１４の表面とは面一となり、挿入部１１（図１参照）はスムーズに体内へ挿入される。また、接着剤５０は、環状部材３２によって密閉されて露出しないため、劣化することがなく脱落することが防止されるという効果が得られる。
【符号の説明】
【００２０】
１８  最先端部（先端部）
３１  環状本体
３３  係合部
３８  ノズル
４６  突起
６０  ノズル頭部
【図１】
0005972672.tif 000002
【図２】
0005972672.tif 000003
【図３】
0005972672.tif 000004